(57)【要約】【課題】入力される画像信号に応じた投影動作を行なう過程で、極力電力の消費を抑制して電源を効率的に活用する。【解決手段】アナログの画像信号とその同期信号とを入力する入出力コネクタ部３１、入出力Ｉ／Ｆ３２と、入力されるアナログの画像信号をその同期信号を用いてデジタルの画像データに変換するＡ／Ｄ変換部３２ａと、得たデジタルの画像データを記憶する入力バッファ３３と、入力バッファ３３で記憶する画像データに基づいた光像を投影する投影系３４〜４６と、入力するアナログの画像信号と同期信号の有無を判断し、その判断結果に応じてＡ／Ｄ変換部３２ａの動作を停止させる制御系４７〜４９とを備える。【選択図】  図３
2013034249.tif 000002
【特許請求の範囲】
【請求項１】
アナログの画像信号を出力する画像出力手段、上記画像出力手段で出力する画像信号の内容の変化の有無を判定する判定手段、及び上記判定手段での判定結果に応じて上記画像出力手段でのアナログの画像信号に含まれるＲＧＢ画像データ及び同期信号のうち少なくともいずれか一方の出力を制御する出力制御手段を備えた画像出力装置と、
アナログの画像信号を入力する画像入力手段、上記画像入力手段より入力されるアナログの画像信号をそのＲＧＢ画像データ及び同期信号を用いてデジタルの画像データに変換するＡ／Ｄ変換手段、上記Ａ／Ｄ変換手段で得たデジタルの画像データを記憶する画像記憶手段、上記画像記憶手段で記憶する画像データに基づいた光像を投影する投影手段、上記画像入力手段で入力するＲＧＢ画像データ及び同期信号のうち上記出力制御手段で制御される信号の有無を判断する判断手段、及び上記判断手段での判断結果に応じて上記Ａ／Ｄ変換手段の動作を停止させるＡ／Ｄ変換制御手段を備えた投影装置と
を有したことを特徴とする投影システム。
【請求項２】
アナログの画像信号を入力する画像入力手段と、
上記画像入力手段より入力されるアナログの画像信号をデジタルの画像データに変換するＡ／Ｄ変換手段と、
上記Ａ／Ｄ変換手段で得たデジタルの画像データを記憶する画像記憶手段と、
上記画像記憶手段で記憶する画像データに基づいた光像を投影する投影手段と、
上記画像入力手段で入力する画像信号の変化の有無を判断する判断手段と、
上記判断手段での判断結果に応じて上記Ａ／Ｄ変換手段の動作を停止させるＡ／Ｄ変換制御手段と
を具備したことを特徴とする投影装置。
【請求項３】
上記判断手段は、上記アナログの画像信号に含まれるＲＧＢ画像データ及び同期信号のうち少なくともいずれか一方の信号の入力がない場合に画像信号の変化がないと判断し、上記Ａ／Ｄ変換制御手段により上記Ａ／Ｄ変換手段の動作を停止させることを特徴とする請求項２記載の投影装置。
【請求項４】
上記判断手段は、上記画像記憶手段に順次記憶されるデジタルの画像データを所定間隔毎に比較する比較手段を備え、
上記比較手段による比較結果に基づいて画像信号の変化の有無を判断することを特徴とする請求項２記載の投影装置。
【請求項５】
上記投影手段は、上記Ａ／Ｄ変換制御手段により上記Ａ／Ｄ変換手段の動作が停止されると、上記画像記憶手段で記憶した画像データのうち、上記Ａ／Ｄ変換手段の動作停止以前の画像データを読出して投影することを特徴とする請求項４記載の投影装置。
【請求項６】
電池を含む複数系統のうちの１つを選択し、上記装置が備える各手段に動作電力を供給する電源手段をさらに備え、
上記Ａ／Ｄ変換制御手段は、上記電源手段で電池を選択している状態で上記判断手段での判断結果に応じて上記Ａ／Ｄ変換手段の動作を停止させる
ことを特徴とする請求項２乃至５いずれか記載の投影装置。
【請求項７】
アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置での投影方法であって、
上記画像入力部で入力する画像信号の変化の有無を判断する判断工程と、
上記判断工程での判断結果に応じて上記Ａ／Ｄ変換部の動作を停止させるＡ／Ｄ変換制御工程と
を有したことを特徴とする投影方法。
【請求項８】
アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置が内蔵したコンピュータが実行するプログラムであって、
上記画像入力部で入力する画像信号の変化の有無を判断する判断ステップと、
上記判断ステップでの判断結果に応じて上記Ａ／Ｄ変換部の動作を停止させるＡ／Ｄ変換制御ステップと
をコンピュータに実行させることを特徴とするプログラム。
【発明の詳細な説明】
【技術分野】
【０００１】
本発明は、特に電池を電源とするデータプロジェクタ装置等に好適な投影システム、投影装置、投影方法及びプログラムに関する。
【背景技術】
【０００２】
近時、パーソナルコンピュータの普及に伴って、パーソナルコンピュータをデータプロジェクタ装置に接続してプレゼンテーションを行なう事例が増えている。このような場合、ノートブックタイプのパーソナルコンピュータでは電池駆動で連続稼働時間が１０時間を超える機種が多数存在する。一方で、電池駆動式のデータプロジェクタ装置では、光源である高圧水銀ランプ等の発光駆動とその冷却とに多くの電力を消費してしまう関係から、ノートブックタイプのパーソナルコンピュータと同等の連続稼働時間を有するまでには至っておらず、結果としてシステムとしての機動性を損なう一因となっていた。
【０００３】
この種の電池駆動式プロジェクタで、利便性を損なうことなく電力消費を抑制可能とするべく、画像信号の入力の有無を判断し、画像信号を伝送するためのケーブルが引き抜かれたり、画像供給装置側で再生停止の操作が行なわれ、画像信号の入力が途絶えると、光源の消灯を指示すると共に、Ａ／ＤコンバータによるＲＧＢ信号のサンプリングを停止するようにした技術が考えられている。（例えば、特許文献１）
【先行技術文献】
【特許文献】
【０００４】
【特許文献１】特開２００６−３３０２２４号公報
【発明の概要】
【発明が解決しようとする課題】
【０００５】
しかしながら上記特許文献１に記載された技術は、画像信号の入力がなく、投影を行なっていない状態を判断して無駄な電力消費の抑制を図るようにしたものであり、当然ながら画像信号が入力されており、投影を行なっている状態でさらに無駄な電力消費を抑制することは一切考慮されていない。
【０００６】
本発明は上記のような実情に鑑みてなされたもので、その目的とするところは、入力される画像信号に応じた投影動作を行なう過程で、極力電力の消費を抑制して電源を効率的に活用することが可能な撮像装置、撮像方法及びプログラムを提供することにある。
【課題を解決するための手段】
【０００７】
請求項１記載の発明は、アナログの画像信号を出力する画像出力手段、上記画像出力手段で出力する画像信号の内容の変化の有無を判定する判定手段、及び上記判定手段での判定結果に応じて上記画像出力手段でのアナログの画像信号に含まれるＲＧＢ画像データ及び同期信号のうち少なくともいずれか一方の出力を制御する出力制御手段を備えた画像出力装置と、アナログの画像信号を入力する画像入力手段、上記画像入力手段より入力されるアナログの画像信号をそのＲＧＢ画像データ及び同期信号を用いてデジタルの画像データに変換するＡ／Ｄ変換手段、上記Ａ／Ｄ変換手段で得たデジタルの画像データを記憶する画像記憶手段、上記画像記憶手段で記憶する画像データに基づいた光像を投影する投影手段、上記画像入力手段で入力するＲＧＢ画像データ及び同期信号のうち上記出力制御手段で制御される信号の有無を判断する判断手段、及び上記判断手段での判断結果に応じて上記Ａ／Ｄ変換手段の動作を停止させるＡ／Ｄ変換制御手段を備えた投影装置とを有したことを特徴とする。
【０００８】
請求項２記載の発明は、アナログの画像信号を入力する画像入力手段と、上記画像入力手段より入力されるアナログの画像信号をデジタルの画像データに変換するＡ／Ｄ変換手段と、上記Ａ／Ｄ変換手段で得たデジタルの画像データを記憶する画像記憶手段と、上記画像記憶手段で記憶する画像データに基づいた光像を投影する投影手段と、上記画像入力手段で入力する画像信号の変化の有無を判断する判断手段と、上記判断手段での判断結果に応じて上記Ａ／Ｄ変換手段の動作を停止させるＡ／Ｄ変換制御手段とを具備したことを特徴とする。
【０００９】
請求項３記載の発明は、上記請求項２記載の発明において、上記判断手段は、上記アナログの画像信号に含まれるＲＧＢ画像データ及び同期信号のうち少なくともいずれか一方の信号の入力がない場合に画像信号の変化がないと判断し、上記Ａ／Ｄ変換制御手段により上記Ａ／Ｄ変換手段の動作を停止させることを特徴とする。
【００１０】
請求項４記載の発明は、上記請求項２記載の発明において、上記判断手段は、上記画像記憶手段に順次記憶されるデジタルの画像データを所定間隔毎に比較する比較手段を備え、上記比較手段による比較結果に基づいて画像信号の変化の有無を判断することを特徴とする。
【００１１】
請求項５記載の発明は、上記請求項４記載の発明において、上記投影手段は、上記Ａ／Ｄ変換制御手段により上記Ａ／Ｄ変換手段の動作が停止されると、上記画像記憶手段で記憶した画像データのうち、上記Ａ／Ｄ変換手段の動作停止以前の画像データを読出して投影することを特徴とする。
【００１２】
請求項６記載の発明は、上記請求項２乃至５いずれか記載の発明において、電池を含む複数系統のうちの１つを選択し、上記装置が備える各手段に動作電力を供給する電源手段をさらに備え、上記Ａ／Ｄ変換制御手段は、上記電源手段で電池を選択している状態で上記判断手段での判断結果に応じて上記Ａ／Ｄ変換手段の動作を停止させることを特徴とする。
【００１３】
請求項７記載の発明は、アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置での投影方法であって、上記画像入力部で入力する画像信号の変化の有無を判断する判断工程と、上記判断工程での判断結果に応じて上記Ａ／Ｄ変換部の動作を停止させるＡ／Ｄ変換制御工程とを有したことを特徴とする。
【００１４】
請求項８記載の発明は、アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置が内蔵したコンピュータが実行するプログラムであって、上記画像入力部で入力する画像信号の変化の有無を判断する判断ステップと、上記判断ステップでの判断結果に応じて上記Ａ／Ｄ変換部の動作を停止させるＡ／Ｄ変換制御ステップとをコンピュータに実行させることを特徴とする。
【発明の効果】
【００１５】
本発明によれば、入力される画像信号に応じた投影動作を行なう過程で、極力電力の消費を抑制して電源を効率的に活用することが可能となる。
【図面の簡単な説明】
【００１６】
【図１】本発明の第１の実施形態に係る投影システムの接続構成を示す図。
【図２】同実施形態に係るパーソナルコンピュータの電子回路の構成を示すブロック図。
【図３】同実施形態に係るデータプロジェクタ装置の電子回路の機能構成を示すブロック図。
【図４】同実施形態に係るパーソナルコンピュータ側での画像信号出力時の処理内容を示すフローチャート。
【図５】同実施形態に係るデータプロジェクタ装置側での投影動作時の処理内容を示すフローチャート。
【図６】本発明の第２の実施の形態に係るデータプロジェクタ装置側での投影動作時の処理内容を示すフローチャート。
【発明を実施するための形態】
【００１７】
（第１の実施形態）  
以下本発明に係る投影システムをパーソナルコンピュータとＤＬＰ（Ｄｉｇｉｔａｌ  Ｌｉｇｈｔ  Ｐｒｏｃｅｓｓｉｎｇ）（登録商標）方式のデータプロジェクタ装置とを用いた投影システムに適用した場合の第１の実施形態について図面を参照して説明する。
【００１８】
図１は、システム全体の外観と接続構成を示すものである。パーソナルコンピュータ１とデータプロジェクタ装置２とが、両端にＶＧＡ端子を有するケーブル３によって有線接続される。パーソナルコンピュータ１で再生されるプレゼンテーションプログラムの画像信号が、ケーブル３を介して適宜データプロジェクタ装置２へ送られ、データプロジェクタ装置２によりスクリーンＳＣとして使用されるホワイトボードに向けて投影される。
【００１９】
データプロジェクタ装置２は、パーソナルコンピュータ１から送られてくる画像信号を基に、マイクロミラー素子を用いて画像データに対応する光像を形成し、筐体前面に配置された投影レンズユニットより、投影対象のスクリーンＳＣとして使用されるホワイトボード上の投影範囲ＰＡ内に対し、各種画像を投影表示する。
【００２０】
次に図２により上記パーソナルコンピュータ１の構成について説明する。図２はこのパーソナルコンピュータ１のハードウェア構成を示すものであり、各種処理制御を司るＣＰＵ１１とフロントサイドバスＦＳＢを介してノースブリッジ１２が接続される。
【００２１】
このノースブリッジ１２は、さらにメモリバスＭＢを介してメインメモリ１３と、またグラフィクスインタフェースＡＧＰを介してグラフィックコントローラ１４及びグラフィックメモリ１５と接続される他、サウスブリッジ１６とも接続され、主としてこれらの間での入出力制御を実行する。
【００２２】
サウスブリッジ１６は、ＰＣＩバス１７、キーボード／マウス１８、ビデオエンコーダ１９、無線ＬＡＮインタフェース２０、マルチディスクドライブ２１、ハードディスク装置（ＨＤＤ）２２と接続され、主としてこれら周辺回路とノースブリッジ１２との間の入出力制御を行なう。
【００２３】
なお、これらパーソナルコンピュータ１を構成する個々の要素自体は、きわめて一般的な周知の技術であるのでその説明は省略するものとする。
【００２４】
なお、ビデオエンコーダ１９は、与えられたデジタル値の画像信号からアナログ値の画像信号であるＶＧＡビデオ信号を生成して出力し、ここでは図示しないカラーＴＦＴ（薄膜トランジスタ）液晶表示パネルで構成されるディスプレイ部を表示駆動する一方で、同ＶＧＡビデオ信号を図示しないＶＧＡ端子を介して有線接続された外部機器、例えば上記図１でのデータプロジェクタ装置２へ出力する。
【００２５】
次いで図３を用いて上記データプロジェクタ装置２の回路構成について説明する。  
図３は上記データプロジェクタ装置２が備える電子回路の機能構成を示すブロック図である。  
同図で、３１はデータプロジェクタ装置２の本体ケーシング背面側に設けられる入出力コネクタ部であり、例えばピンジャック（ＲＣＡ）タイプのビデオ入力端子、アナログのＲＧＢコンポーネント信号を入力する、ＤＥ−１５、ＨＤ１５、ミニＤ−Ｓｕｂ５とも称されるＶＧＡ端子、及びＵＳＢ端子からなる。
【００２６】
入出力コネクタ部３１より入力される各種規格の画像信号は、入出力インタフェース（Ｉ／Ｆ）３２、システムバスＳＢを介して入力バッファ３３に記憶される。入出力インタフェース３２はＡ／Ｄ変換部３２ａを有し、入力される画像信号がアナログである場合にはそれをサンプリングしてデジタル化し、デジタル化した画像データを入力バッファ３３に保持させる。
【００２７】
この入力バッファ３３に保持される画像データに対し、一般にスケーラとも称される画像変換部３４が解像度数、階調数等を含む投影に適した所定のフォーマットの画像データに統一した後に、投影画像処理部３５へ送る。
【００２８】
この際、ＯＳＤ（Ｏｎ  Ｓｃｒｅｅｎ  Ｄｉｓｐｌａｙ）用の文字画像やポインタ等の記号も必要に応じて画像データ上に重畳加工された状態で投影画像処理部３５へ送られる。
【００２９】
投影画像処理部３５は、画像変換部３４から送られてきた画像データをビデオＲＡＭ３６に展開して記憶させた上でこのビデオＲＡＭ３６の記憶内容に対応して空間的光変調素子（ＳＯＭ）であるマイクロミラー素子３７を駆動する。
【００３０】
すなわち、投影画像処理部３５は、所定のフレームレート、例えば６０［フレーム／秒］と色成分の分割数、及び表示階調数を乗算した、より高速な時分割駆動により、ビデオＲＡＭ３６に保持される画像データに基づいてマイクロミラー素子３７を駆動する。
【００３１】
このマイクロミラー素子３７は、アレイ状に配列された複数、例えばＸＧＡ（横１０２４×縦７６８ドット）分の微小ミラーの各傾斜角度を個々に高速でオン／オフ動作制御することでその反射光により光像を形成する。
【００３２】
一方で、リフレクタ３８内に配置された、超高圧水銀灯を用いた光源ランプ３９が高輝度の白色光を出射する。光源ランプ３９の出射した白色光は、カラーホイール４０を介して時分割で原色に着色され、インテグレータ４１で輝度分布が均一な光束とされた後にミラー４２で全反射して上記マイクロミラー素子３７に照射される。
【００３３】
そして、マイクロミラー素子３７での反射光で光像が形成され、形成された光像が投影レンズユニット４３を介して、上記図１のスクリーンＳＣに投影表示される。
【００３４】
上記投影レンズユニット４３は、合焦位置及びズーム位置（投影画角）を任意に可変できるものとする。すなわち、投影レンズユニット４３を構成する複数の光学レンズ中、図示しないフォーカスレンズ及びズームレンズがそれぞれ光軸方向に沿って前後に移動することで合焦位置及びズーム位置が制御されるもので、それらレンズはステッピングモータ（Ｍ）４４による回動に伴って移動する。
【００３５】
そして、上記光源ランプ３９の点灯、上記カラーホイール４０用のモータ（Ｍ）４５の回転、及び上記ステッピングモータ４４の回動をいずれも投影光処理部４６が制御する。
【００３６】
上記各回路の動作すべてをＣＰＵ４７が制御する。このＣＰＵ４７は、ＤＲＡＭで構成されたメインメモリ４８、動作プログラムや各種定型データ等を記憶した電気的書換可能な不揮発性メモリでなるプログラムメモリ４９を用いてこのデータプロジェクタ装置２内の制御動作を実行する。
【００３７】
上記ＣＰＵ４７は、操作部５０からのキー操作信号に応じて各種投影動作を実行する。この操作部５０は、データプロジェクタ装置２の本体に設けられるキー操作部と、このデータプロジェクタ装置２専用の図示しないリモートコントローラからの赤外光を受信するレーザ受光部を含み、ユーザが直接またはリモートコントローラを介して操作したキーに基づくキー操作信号をＣＰＵ４７へ直接出力する。
【００３８】
上記ＣＰＵ４７はさらに、システムバスＳＢを介してインジケータ部５１、音声処理部５２、及び電源処理部５３と接続される。
【００３９】
インジケータ部５１は、このデータプロジェクタ装置２の筐体上面に配設され、このデータプロジェクタ装置２の動作状態、例えば電源のオン／オフ状態、光源ランプ３９の温度異常、投影レンズユニット４３による自動合焦／台形補正動作等を各種ＬＥＤランプによる点灯／点滅によって表示する。
【００４０】
音声処理部５２は、ＰＣＭ音源等の音源回路を備え、投影動作時に与えられる音声データをアナログ化し、スピーカ部５４を駆動して拡声放音する一方で、必要によりビープ音等を発生させる。
【００４１】
電源処理部５３は、このデータプロジェクタ装置２の電源となるバッテリ５５及びＡＣ電源５６の管理を行なうもので、ＡＣ電源５６が接続されている場合にはＡＣ電源５６からの電力を適宜必要な電圧に変換して上記各回路へ供給する他、上記ＣＰＵ４７の要求によりバッテリ５５の充電を行なう。バッテリ５５は、二次電池、例えばリチウムイオン電池とそのドライブ回路で構成する。
【００４２】
また、電源処理部５３は、ＡＣ電源５６が接続されていない状態では、ＡＣ電源５６に代えてバッテリ５５に充電される電力を用いて上記各回路へ必要な電力を供給する。
【００４３】
次に上記実施形態の動作について説明する。  
図４及び図５は、パーソナルコンピュータ１がアナログの画像信号を出力し、ケーブル３を介してデータプロジェクタ装置２がその画像信号を入力して、入力した画像信号に応じた投影を行なう場合のパーソナルコンピュータ１とデータプロジェクタ装置２双方の画像信号に対する基本的な処理内容を示すものである。
【００４４】
図４は、送信側であるパーソナルコンピュータ（ＰＣ）１が、出力する１フレーム分の画像信号毎に、直前のフレームの画像信号と比較して実行する画像信号の送信処理の内容を示すものである。
【００４５】
この処理は、ビデオエンコーダ１９がアナログの画像信号を作成してケーブル３へ出力する際にＣＰＵ１１の制御の下で実行される。すなわち、当該フレームの画像信号を直前のフレームの同信号と比較した結果、画像信号の内容に変化があったか否かを判断する（ステップＳ１０１）。
【００４６】
ここで画像信号の内容に変化があったと判断した場合は、本来のアナログＲＧＢコンポーネント信号の規格通り、画像信号を構成するＲＧＢの各色成分毎の信号を水平及び垂直の各同期信号と共にケーブル３へ出力した後（ステップＳ１０２）、次のフレームの画像信号に対応するべく上記ステップＳ１０１からの処理に戻る。
【００４７】
一方、上記ステップＳ１０１で画像信号の内容に変化がなかったと判断した場合は、本来のアナログＲＧＢコンポーネント信号の規格からあえて外れ、水平及び垂直の各同期信号なしに、画像信号を構成するＲＧＢの各色成分毎の信号のみをケーブル３へ出力した後（ステップＳ１０３）、次のフレームの画像信号に対応するべく上記ステップＳ１０１からの処理に戻る。
【００４８】
なお、上記ステップＳ１０１において画像信号の変化の有無を判断する方法は、上述の画像信号を前後のフレーム間で比較する方法に限らず、例えば、パーソナルコンピュータ１を操作する操作者によって、投影する画像を切替えるための所定の操作が入力されたか否かによって判断してもよい。いずれにしても画像信号の変化の有無を判断することが重要であり、その方法は特に限定するものではない。
【００４９】
この種のシステムで多く使用されるプレゼンテーションプログラムに基づいた画像信号をパーソナルコンピュータ１が出力するような場合、一般的な動画像データと異なり、内容に変化のない画像信号が数秒乃至数分のオーダーで出力され続けることになると思われる。
【００５０】
したがって、上記図４ではフレーム単位でステップＳ１０１の判断を行なうものとしたが、ユーザが違和感を覚えない程度のタイムラグが例えば０．５秒程度とし、フレームレートが３０［フレーム／秒］とすれば、画像信号１５フレームに１回程度の頻度で上記ステップＳ１０１の判断を行ない、その判断の結果に応じてステップＳ１０２またはステップＳ１０３の処理を行なうものとしてもよい。
【００５１】
一方、上記パーソナルコンピュータ１の出力する画像信号を入力して投影動作を行なうデータプロジェクタ装置２の側では、ケーブル３を介して入出力コネクタ部３１で入力した画像信号を入出力インタフェース３２が受付ける。
【００５２】
図５は、受信側であるデータプロジェクタ装置（ＰＪ）２が、画像信号の１フレーム分入力する毎に実行する画像信号の受信から投影に至る処理内容を示すものである。  
この処理は、入出力インタフェース３２が入出力コネクタ部３１を介して入力される画像信号に対してＣＰＵ４７の制御の下で実行される。
【００５３】
その当初には、画像信号の入力時に画像信号を構成するＲＧＢの各色成分毎の信号と共に同期信号の入力があったか否かを判断する（ステップＲ１０１）。
【００５４】
ここで同期信号も合わせて入力したと判断した場合、本来のアナログＲＧＢコンポーネント信号の規格通りであり、上記パーソナルコンピュータ１がその直前に出力した画像信号と内容の異なる画像信号を出力したものとして、入力した画像信号をＡ／Ｄ変換部３２ａによりデジタル化する（ステップＲ１０２）。
【００５５】
そして、得たデジタル値の画像データを入力バッファ３３に保持させる（ステップＲ１０３）。
【００５６】
この入力バッファ３３に保持した画像データを読出して画像変換部３４が投影に適したフォーマットに変換し、投影画像処理部３５によりマイクロミラー素子３７で対応する光像を形成して、投影レンズユニット４３より投影対象となるスクリーンＳＣに投影させる（ステップＲ１０４）。その後、次のフレームの画像信号に対応するべく上記ステップＲ１０１からの処理に戻る。
【００５７】
また、上記ステップＲ１０１で画像信号の入力時に画像信号を構成するＲＧＢの各色成分毎の信号のみで同期信号の入力がなかったと判断した場合には、本来のアナログＲＧＢコンポーネント信号の規格を外れており、したがって上記パーソナルコンピュータ１は少なくとも直前に出力した画像信号と内容の等しい画像信号を出力したものとして、Ａ／Ｄ変換部３２ａを一時的な停止状態とし、Ａ／Ｄ変換部３２ａでの電力消費を抑止する（ステップＲ１０５）。
【００５８】
この場合、投影すべき画像はその前のフレームと同様であるものとして、すでに入力バッファ３３に保持している画像データを再度読出して画像変換部３４が投影に適したフォーマットに変換し、投影画像処理部３５によりマイクロミラー素子３７で対応する光像を形成して、投影レンズユニット４３より投影対象となるスクリーンＳＣに投影させる（ステップＲ１０４）。その後、次のフレームの画像信号に対応するべく上記ステップＲ１０１からの処理に戻る。
【００５９】
このように、画像信号に変化がない場合であっても、同期信号のみを出力停止状態にさせて画像信号は出力させる構成としたことで、データプロジェクタ装置２は、画像信号のみが入力されることにより表示すべき画像信号はあるが、その画像信号に変化はない状態であると判断することができ、この場合には上述のようにＡ／Ｄ変換部３２ａを一時的な停止状態として電力消費を抑制し、入力バッファ３３に保持している画像データを再度読出して投影させる。
【００６０】
また、本実施の形態では、パーソナルコンピュータ１は、上記ステップＳ１０１において画像信号に変化がない場合は、上記ステップＳ１０３において同期信号の出力を停止する構成としたが、これに限らず、反対に同期信号の出力は停止せずに画像信号の出力を停止することとしてもよい。
【００６１】
この場合データプロジェクタ装置２は、ステップＲ１０１において画像信号の入力があるか否かを判断するとともに、画像信号の入力がなく同期信号のみの入力であった場合には、無信号状態ではなく表示すべき画像信号はあるが、その画像信号に変化はない状態であると判断することができ、Ａ／Ｄ変換部３２ａを一時的に停止状態として入力バッファ３３に保持している画像データを再度読出して投影させる。  
いずれにしても、画像信号に変化がない場合には、データプロジェクタ装置２のＡ／Ｄ変換を停止させることができる構成となっていればよい。
【００６２】
なお、このデータプロジェクタ装置２側においても、上記パーソナルコンピュータ１側で述べたのと同様に、フレーム単位でステップＲ１０１の判断を行なうものとしたが、ユーザが違和感を覚えない程度のタイムラグが例えば０．５秒程度とし、フレームレートが３０［フレーム／秒］とすれば、画像信号１５フレームに１回程度の頻度で上記ステップＲ１０１の判断を行ない、その判断の結果に応じてステップＲ１０２〜Ｒ１０４またはステップＲ１０４の処理を行なうものとしてもよい。
【００６３】
以上に述べた如く本実施形態によれば、データプロジェクタ装置２側で入力される画像信号に応じた投影動作を行なう過程で、Ａ／Ｄ変換部３２ａの動作を必要時のみ実行し、不必要であると判断した場合には一時的に停止状態にするものとした。
【００６４】
これにより、この種の一般的なデータプロジェクタ装置で、光源となるランプの消費電力が３０〜５０［Ｗ］、制御系の消費電力が３［Ｗ］程度であるものとして、Ａ／Ｄ変換部周辺を適宜頻度で一時停止状態とすることにより１［Ｗ］強程度の消費電力を削減することが見込まれる。そのため、バッテリ５５を電源として使用する場合の連続投影時間を２〜３［％］程度延長させることが可能となる。  
このように、極力電力の消費を抑制して電源を効率的に活用することが可能となる。
【００６５】
なお、上記図４及び図５の処理は、ＡＣ電源５６が接続されておらず、容量に制限があるバッテリ５５を電源として用いる場合にのみ実行するものとしてもよい。これにより、上述したようにバッテリ５５を電源として使用する場合の連続投影時間を僅かではあるが確実に延長させることが可能となり、例えばプレゼンテーションの終了目前にしてデータプロジェクタ装置２の電源が尽きてしまう、などといった事態を避ける可能性をより高めることができる。
【００６６】
（第２の実施の形態）  
以下本発明に係る投影システムをパーソナルコンピュータとＤＬＰ（登録商標）方式のデータプロジェクタ装置とを用いた投影システムに適用した場合の第２の実施形態について図面を参照して説明する。
【００６７】
なお、システム全体の外観と接続構成については上記図１と、パーソナルコンピュータの構成については上記図２と、そしてデータプロジェクタ装置が備える電子回路の機能構成については上記図３と、それぞれ基本的に同様であるものとし、同一部分には同一符号を付加するものとして、それらの図示と説明とを省略する。
【００６８】
なお、本実施形態では入力バッファ３３が少なくとも２フレーム分の画像データを保持可能であるものとする。すなわち、投影動作に用いる画像データを記憶する第１の領域と、入力した最新の画像データを保持する第２の領域とを有するものとする。
【００６９】
次に上記実施形態の動作について説明する。  
図６は、パーソナルコンピュータ１がアナログの画像信号を出力し、ケーブル３を介してデータプロジェクタ装置２がその画像信号を入力して、入力した画像信号に応じた投影を行なう場合の、データプロジェクタ装置側の画像信号に対する基本的な処理内容を示すものである。
【００７０】
この処理は、入出力インタフェース３２が入出力コネクタ部３１を介して入力される画像信号に対してＣＰＵ４７の制御の下で実行される。
【００７１】
その当初には、ケーブル３を介してパーソナルコンピュータ１からの画像信号を１フレーム分入力し（ステップＲ２０１）、入力した画像信号をＡ／Ｄ変換部３２ａによりデジタル化する（ステップＲ２０２）。
【００７２】
そして、得たデジタル値の画像データを入力バッファ３３の第２の領域に保持させる（ステップＲ２０３）。
【００７３】
この入力バッファ３３の第２の領域に保持した画像データと、既に同入力バッファ３３の第１の領域に保持されている、投影済みの画像データとを読出して比較する（ステップＲ２０４）。
【００７４】
その比較結果から、２つの画像データ間に変化があるか否か、すなわち入力されている画像データ自体に変化があるか否かを判断する（ステップＲ２０５）。
【００７５】
ここで、２つの画像データ間に変化があると判断すると、あらためて第２の領域に保持されている画像データを第２の領域に転送設定した上で、この転送設定した画像データを画像変換部３４で投影に適したフォーマットに変換し、投影画像処理部３５によりマイクロミラー素子３７で対応する光像を形成して、投影レンズユニット４３より投影対象となるスクリーンＳＣに投影させる（ステップＲ２０６）。その後、次のフレームの画像信号に対応するべく上記ステップＲ２０１からの処理に戻る。
【００７６】
また、上記ステップＲ２０５で入力バッファ３３の第１の領域と第２の領域に保持される２つの画像データ間に変化がないと判断した場合には、上記パーソナルコンピュータ１からの画像信号が少なくとも直前の画像信号と内容が等しいものであるとして、Ａ／Ｄ変換部３２ａを一時的な停止状態とし、Ａ／Ｄ変換部３２ａでの電力消費を抑止する（ステップＲ２０７）。
【００７７】
この場合、同一の画像データの投影回数をカウントするカウンタ（図では「ｃｎｔ」と称する）の値をｎ（ｎは２以上の整数）に設定した上で（ステップＲ２０８）、入力バッファ３３の第１領域に保持している画像データを再度読出して画像変換部３４が投影に適したフォーマットに変換し、投影画像処理部３５によりマイクロミラー素子３７で対応する光像を形成して、投影レンズユニット４３より投影対象となるスクリーンＳＣに投影させる（ステップＲ２０９）。
【００７８】
その後、上記カウンタの値を「−１」更新設定した上で（ステップＲ２１０）、この更新設定したカウンタの値が「０（ゼロ）」となったか否かを判断する（ステップＲ２１１）。
【００７９】
ここでカウンタの値が「０（ゼロ）」ではないと判断すると、再び上記ステップＲ２０９の処理に戻り、次のフレームでも入力バッファ３３の第１領域に保持している画像データを用いた投影を実行させる。
【００８０】
こうしてステップＲ２０９〜Ｒ２１１の処理をｎ回繰返して実行し、Ａ／Ｄ変換部３２ａを停止状態としたままで同様の画像データによる投影動作を行なった後、カウンタの値が「０（ゼロ）」となったと判断すると、再び次のフレームの画像信号の入力に対応するべく上記ステップＲ２０１からの処理に戻る。
【００８１】
上記カウンタにより同様の画像データの投影を繰返すフレーム数ｎは、上述した如く２以上の整数であればよく、ユーザにより任意に設定可能であるものとする。  
例えば、ユーザが違和感を覚えない程度のタイムラグが例えば０．５秒程度とし、フレームレートが３０［フレーム／秒］とすれば、フレーム数ｎに「１５」を設定することで、内容に変化のない画像信号が入力された場合、少なくとも１５フレームを単位としてＡ／Ｄ変換部３２ａの動作を一時的に停止させることができる。
【００８２】
また、特にこの種のシステムで多く使用されるプレゼンテーションプログラムに基づいた画像信号をパーソナルコンピュータ１が出力するような場合には、一般的な動画像データと異なり、内容に変化のない画像信号が数秒乃至数分のオーダーで出力され続けることになると思われる。
【００８３】
したがって、例えば時間で２秒に相当するように上記フレーム数ｎに「６０」を設定することで、内容に変化のない画像信号が入力された場合、少なくとも１５フレームを単位としてＡ／Ｄ変換部３２ａの動作を一時的に停止させることができる。
【００８４】
このように、フレーム数ｎの値を大きく設定することで、よりＡ／Ｄ変換部３２ａを一時的に停止させる度合を多くし、極力電力の消費を抑制して電源を効率的に活用することが可能となる。
【００８５】
以上に述べた如く本実施形態によれば、パーソナルコンピュータ１側での画像信号の出力に関してはなんら一切の制御を行なうことなく、入力側であるデータプロジェクタ装置２が単独で画像信号の変化の有無によりＡ／Ｄ変換部３２ａの動作を必要時のみ実行し、不必要であると判断した場合には一時的に停止状態にするものとした。  
これにより、画像を出力する装置側に制約を与えることなく、投影装置側が単独で極力電力の消費を抑制して電源を効率的に活用することが可能となる。
【００８６】
また、上記第２の実施の形態では、入力される画像信号の変化に応じてステップＲ２０７でＡ／Ｄ変換を一時的に停止させてから、再び画像信号に変化があるか否かを判断するまでの期間を、入力バッファ３３に記憶された画像データを読出すフレーム数としてのカウンタ値Ｎが０になるまでとしたが、これに限らず、単純に所定時間を設定して、一旦Ａ／Ｄ変換が停止されたらこの所定時間毎に画像信号の変化があるか否かを判断することとしてもよい。
【００８７】
なお、上記第１及び第２の実施の形態では、画像データを出力する装置としてパーソナルコンピュータを例に挙げて説明したが、本発明はこれに限ることなく、アナログの画像信号を出力するような装置であれば、ビデオ出力機能を有するデジタルカメラ、ムービーカメラ、携帯電話端末等でも同様に実現可能である。
【００８８】
また、上記第１及び第２の実施の形態では、投影装置としてＤＬＰ方式のデータプロジェクタ装置を用いる場合について説明したが、本発明は投影装置で光像を形成する素子等を限定するものではなく、マイクロミラー素子１６に代えて透過型のカラー液晶パネルを用いる液晶プロジェクタや、光源となるＲＧＢの各ＬＥＤ群が色成分に合わせて時分割で発光することにより、モノクロの液晶パネルでカラーの光像を形成して投影するフィールド・シーケンシャル方式のプロジェクタ装置など、その他の投影装置にも同様に適用可能となる。
【００８９】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００９０】
１…パーソナルコンピュータ、２…データプロジェクタ装置、３…ケーブル、１１…ＣＰＵ、１２…ノースブリッジ、１３…メインメモリ、１４…グラフィックコントローラ、１５…グラフィックメモリ、１６…サウスブリッジ、１７…ＰＣＩバス、１８…キーボード／マウス、１９…ビデオエンコーダ、２０…無線ＬＡＮインタフェース（Ｉ／Ｆ）、２１…マルチディスクドライブ、２２…ハードディスク装置（ＨＤＤ）、２３…無線ＬＡＮアンテナ、３１…入出力コネクタ部、３２…入出力インタフェース（Ｉ／Ｆ）、３３…入力バッファ、３４…画像変換部、３５…投影画像処理部、３６…ビデオＲＡＭ、３７…マイクロミラー素子（ＳＯＭ）、３８…リフレクタ、３９…光源ランプ、４０…カラーホイール、４１…インテグレータ、４２…ミラー、４３…投影レンズユニット、４４…ステッピングモータ（Ｍ）、４５…モータ（Ｍ）、４６…投影光処理部、４７…ＣＰＵ、４８…メインメモリ、４９…プログラムメモリ、５０…操作部、５１…インジケータ部、５２…音声処理部、５３…電源処理部、５４…スピーカ部、５５…バッテリ、５６…ＡＣ電源、ＡＧＰ…グラフィクスインタフェース、ＦＳＢ…フロントサイドバス、ＭＢ…メモリバス、ＰＡ…投影範囲、ＳＢ…システムバス、ＳＣ…スクリーン
【図１】
2013034249.tif 000003
【図２】
2013034249.tif 000004
【図３】
2013034249.tif 000005
【図４】
2013034249.tif 000006
【図５】
2013034249.tif 000007
【図６】
2013034249.tif 000008
【手続補正書】
【提出日】平成24年12月6日(2012.12.6)
【手続補正２】
【補正対象書類名】明細書
【補正対象項目名】０００１
【補正方法】変更
【補正の内容】
【０００１】
本発明は、特に電池を電源とするデータプロジェクタ装置等に好適な投影装置、投影方法及びプログラムに関する。
【手続補正３】
【補正対象書類名】明細書
【補正対象項目名】０００６
【補正方法】変更
【補正の内容】
【０００６】
本発明は上記のような実情に鑑みてなされたもので、その目的とするところは、入力される画像信号に応じた投影動作を行なう過程で、極力電力の消費を抑制して電源を効率的に活用することが可能な投影装置、投影方法及びプログラムを提供することにある。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
請求項１記載の発明は、投影装置であって、アナログの画像信号を入力する画像入力手段と、上記画像入力手段より入力されるアナログの画像信号をデジタルの画像データに変換するＡ／Ｄ変換手段と、上記Ａ／Ｄ変換手段で得たデジタルの画像データを記憶する画像記憶手段と、上記画像記憶手段で記憶する画像データに基づいた光像を投影する投影手段と、上記画像入力手段で入力する画像信号の変化の有無を判断する判断手段と、上記判断手段での判断結果に応じて上記Ａ／Ｄ変換手段の動作を停止させるＡ／Ｄ変換制御手段とを具備したことを特徴とする。
【手続補正６】
【補正対象書類名】明細書
【補正対象項目名】０００９
【補正方法】変更
【補正の内容】
【０００９】
請求項２記載の発明は、上記請求項１記載の発明において、上記判断手段は、上記画像入力手段より入力されるアナログの画像信号に変化がないと判断した場合に、上記Ａ／Ｄ変換制御手段により上記Ａ／Ｄ変換手段の動作を停止させることを特徴とする。
請求項３記載の発明は、上記請求項２記載の発明において、上記判断手段は、上記アナログの画像信号に含まれるＲＧＢ画像データ及び同期信号のうち少なくともいずれか一方の信号の入力がない場合に画像信号の変化がないと判断し、上記Ａ／Ｄ変換制御手段により上記Ａ／Ｄ変換手段の動作を停止させることを特徴とする。
【手続補正７】
【補正対象書類名】明細書
【補正対象項目名】００１０
【補正方法】変更
【補正の内容】
【００１０】
請求項４記載の発明は、上記請求項１乃至３のいずれか記載の発明において、上記判断手段は、上記画像記憶手段に順次記憶されるデジタルの画像データを所定間隔毎に比較する比較手段を備え、上記比較手段による比較結果に基づいて画像信号の変化の有無を判断することを特徴とする。
【手続補正８】
【補正対象書類名】明細書
【補正対象項目名】００１１
【補正方法】変更
【補正の内容】
【００１１】
請求項５記載の発明は、上記請求項１乃至４のいずれか記載の発明において、上記投影手段は、上記Ａ／Ｄ変換制御手段により上記Ａ／Ｄ変換手段の動作が停止されると、上記画像記憶手段で記憶した画像データのうち、上記Ａ／Ｄ変換手段の動作停止以前の画像データを読出して投影することを特徴とする。
【手続補正９】
【補正対象書類名】明細書
【補正対象項目名】００１２
【補正方法】変更
【補正の内容】
【００１２】
請求項６記載の発明は、上記請求項５記載の発明において、上記Ａ／Ｄ変換制御手段により上記Ａ／Ｄ変換手段の動作が停止されると、上記画像記憶手段で記憶した画像データのうち、上記Ａ／Ｄ変換手段の動作停止以前の画像データをｎ（ｎは２以上の整数）回を読出して投影させてから、上記判断手段は、上記画像入力手段で入力する画像信号の変化の有無を判断することを特徴とする。
請求項７記載の発明は、上記請求項１乃至６いずれか記載の発明において、電池を含む複数系統のうちの１つを選択し、上記装置が備える各手段に動作電力を供給する電源手段をさらに備え、上記Ａ／Ｄ変換制御手段は、上記電源手段で電池を選択している状態で上記判断手段での判断結果に応じて上記Ａ／Ｄ変換手段の動作を停止させることを特徴とする。
【手続補正１０】
【補正対象書類名】明細書
【補正対象項目名】００１３
【補正方法】変更
【補正の内容】
【００１３】
請求項８記載の発明は、アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置での投影方法であって、上記画像入力部で入力する画像信号の変化の有無を判断する判断工程と、上記判断工程での判断結果に応じて上記Ａ／Ｄ変換部の動作を停止させるＡ／Ｄ変換制御工程とを有したことを特徴とする。
【手続補正１１】
【補正対象書類名】明細書
【補正対象項目名】００１４
【補正方法】変更
【補正の内容】
【００１４】
請求項９記載の発明は、アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置が内蔵したコンピュータが実行するプログラムであって、上記画像入力部で入力する画像信号の変化の有無を判断する判断ステップと、上記判断ステップでの判断結果に応じて上記Ａ／Ｄ変換部の動作を停止させるＡ／Ｄ変換制御ステップとをコンピュータに実行させることを特徴とする。
【手続補正１２】
【補正対象書類名】特許請求の範囲
【補正対象項目名】全文
【補正方法】変更
【補正の内容】
【特許請求の範囲】
【請求項１】
アナログの画像信号を入力する画像入力手段と、
上記画像入力手段より入力されるアナログの画像信号をデジタルの画像データに変換するＡ／Ｄ変換手段と、
上記Ａ／Ｄ変換手段で得たデジタルの画像データを記憶する画像記憶手段と、
上記画像記憶手段で記憶する画像データに基づいた光像を投影する投影手段と、
上記画像入力手段で入力する画像信号の変化の有無を判断する判断手段と、
上記判断手段での判断結果に応じて上記Ａ／Ｄ変換手段の動作を停止させるＡ／Ｄ変換制御手段と
を具備したことを特徴とする投影装置。
【請求項２】
上記判断手段は、上記画像入力手段より入力されるアナログの画像信号に変化がないと判断した場合に、上記Ａ／Ｄ変換制御手段により上記Ａ／Ｄ変換手段の動作を停止させることを特徴とする請求項１記載の投影装置。
【請求項３】
上記判断手段は、上記アナログの画像信号に含まれるＲＧＢ画像データ及び同期信号のうち少なくともいずれか一方の信号の入力がない場合に画像信号の変化がないと判断し、上記Ａ／Ｄ変換制御手段により上記Ａ／Ｄ変換手段の動作を停止させることを特徴とする請求項２記載の投影装置。
【請求項４】
上記判断手段は、上記画像記憶手段に順次記憶されるデジタルの画像データを所定間隔毎に比較する比較手段を備え、
上記比較手段による比較結果に基づいて画像信号の変化の有無を判断することを特徴とする請求項１乃至３のいずれか記載の投影装置。
【請求項５】
上記投影手段は、上記Ａ／Ｄ変換制御手段により上記Ａ／Ｄ変換手段の動作が停止されると、上記画像記憶手段で記憶した画像データのうち、上記Ａ／Ｄ変換手段の動作停止以前の画像データを読出して投影することを特徴とする請求項１乃至４のいずれか記載の投影装置。
【請求項６】
上記Ａ／Ｄ変換制御手段により上記Ａ／Ｄ変換手段の動作が停止されると、上記画像記憶手段で記憶した画像データのうち、上記Ａ／Ｄ変換手段の動作停止以前の画像データをｎ（ｎは２以上の整数）回を読出して投影させてから、上記判断手段は、上記画像入力手段で入力する画像信号の変化の有無を判断することを特徴とする請求項５記載の投影装置。
【請求項７】
電池を含む複数系統のうちの１つを選択し、上記装置が備える各手段に動作電力を供給する電源手段をさらに備え、
上記Ａ／Ｄ変換制御手段は、上記電源手段で電池を選択している状態で上記判断手段での判断結果に応じて上記Ａ／Ｄ変換手段の動作を停止させる
ことを特徴とする請求項１乃至６いずれか記載の投影装置。
【請求項８】
アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置での投影方法であって、
上記画像入力部で入力する画像信号の変化の有無を判断する判断工程と、
上記判断工程での判断結果に応じて上記Ａ／Ｄ変換部の動作を停止させるＡ／Ｄ変換制御工程と
を有したことを特徴とする投影方法。
【請求項９】
アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置が内蔵したコンピュータが実行するプログラムであって、
上記画像入力部で入力する画像信号の変化の有無を判断する判断ステップと、
上記判断ステップでの判断結果に応じて上記Ａ／Ｄ変換部の動作を停止させるＡ／Ｄ変換制御ステップと
をコンピュータに実行させることを特徴とするプログラム。